(57)【特許請求の範囲】
【請求項１】
本の本体に関するプリントジョブの提出書式であって、前もって印刷済みのカバーを示す第１のカバーのタイプのオプション、前記プリントジョブが前記本の本体のページと前記本の本体のカバーとに関する複数のページ記述を含むことと、前記ページに関する印刷媒体シートのユーザによる選択とを示す第２のカバーのタイプのオプション、及び前記プリントジョブが前記本の本体のページと前記本の本体のカバーとに関する前記複数のページ記述を含むことと、前記ページに関する前記印刷媒体シートの自動システム選択に関する要求とを示す第３のカバーのタイプのオプションを含む複数のカバーオプションの１つをユーザが選択するためのメニュを提供する前記プリントジョブの提出書式を表示するグラフィカルユーザインターフェースと、
前記グラフィカルユーザインターフェースと通信すると共に、前記グラフィカルユーザインターフェースに表示された前記プリントジョブの提出書式を利用して、前記ユーザから前記本の前記プリントジョブを受け取る制御装置であって、
ラスタ画像処理を実行して、前記複数のページ記述の各々に対応するラスタ画像を生成するラスタ画像プロセッサと、
前記プリントジョブの提出書式が、前記メニュの上の前記第２のカバーのタイプのオプション及び前記第３のカバーのタイプのオプションの１つを前記ユーザが選択したことを示すとき、前記複数のページ記述の各々に対応する前記ラスタ画像をサイズにより分類し、前記本の本体の前記ページに関する第１のラスタ画像を前記サイズにより識別し、前記カバーに関する少なくとも１つの第２のラスタ画像を識別するデコンポーザであって、
前記カバーに関する前記少なくとも１つの第２のラスタ画像は、どの前記第１のラスタ画像よりも大きいことによって識別され、前記複数のページ記述の各々に対応する前記ラスタ画像を分類すること、及び前記第１のラスタ画像及び前記少なくとも１つの第２のラスタ画像を識別することは、前記プリントジョブの中で、前記カバーが前記複数のページ記述の何れにも対応するので、行われることを特徴とする、
前記デコンポーザと、
を含む前記制御装置と、
前記制御装置により動作可能に制御され、前記第１のラスタ画像に基づいた前記本の本体の前記ページを、第１の印刷媒体シートの上に印刷し、前記少なくとも１つの第２のラスタ画像に基づいた前記カバーを、前記第１の印刷媒体シートよりも大きい第２の印刷媒体シートの上に印刷する少なくとも１つの印刷エンジンと、
前記制御装置により動作可能に制御され、前記少なくとも１つの印刷エンジンから前記本の本体の前記ページを受け取り、前記ページを積み重ねて前記本の本体を作成し、前記少なくとも１つの印刷エンジンから前記カバーを受け取り、前記カバーと前記本の本体とを綴じて前記本を製造する製本装置と、
を含む書籍製造システム。
【請求項２】
前記少なくとも１つの第２のラスタ画像は、
片面印刷のカバーに関する単一の第２のラスタ画像と、
両面印刷のカバーに関する一対の第２のラスタ画像と、
の内の１つだけであり、
前記一対の第２のラスタ画像の各々は、前記第１のラスタ画像のサイズの２倍より大きい、
請求項１に記載の書籍製造システム。
【請求項３】
前記制御装置は、前記本の本体の前記ページ及び前記カバーが前記製本装置により要求順序通りに受け取られるように、前記本の本体の前記ページ及び前記カバーの印刷をスケジュール管理する印刷スケジューラを更に備える、請求項１に記載の書籍製造システム。
【請求項４】
前記プリントジョブは、製造する前記本の特定の数を指定し、
前記少なくとも１つの印刷エンジン及び前記製本装置はそれぞれ、前記特定の数の本が製造されるように、前記印刷及び前記製造を反復的に繰り返す、
請求項１に記載の書籍製造システム。
【請求項５】
前記制御装置は、前記本の本体の前記ページに関する前記第１の印刷媒体シートと前記カバーに関する前記第２の印刷媒体シートとを指定する前記ユーザの追加の選択を、前記第２のカバーのタイプのオプションと共に、更に受け取る、
請求項１に記載の書籍製造システム。
【発明の詳細な説明】
【技術分野】
【０００１】
本明細書に開示される実施形態は一般に書籍製造に関し、より詳細には、製本する前に本の本体及びその本の本体に関する屈曲性の本カバーを、同じプリントジョブで印刷することができる書籍製造システム及びそれに関連する方法に関する。
【背景技術】
【０００２】
一般に、屈曲性の本（例えば、文庫本）では、屈曲性の本カバーは、関連する本の本体の３面の周りを包み、具体的には、本の本体の最初のページ、背表紙、最後のページを覆うようデザインされる。本の本体とは、文字及び／又は画像が印刷された、その本のページを構成する印刷媒体シートを積み重ねたものを指すことは、当業者なら認識するであろう。製造中、屈曲性の本カバーと、本の本体とは別々のプリントジョブで印刷され、次いで、製本装置により一緒に綴じられる。具体的には、屈曲性の本カバーが前もって印刷され、製本装置内のカバートレイ内に収められる。次いで、本のページ部分が印刷され、製本装置へ供給され、積み重ね押し付けられて、本の本体を作成する。次に、例えば、無線綴じ製本処理又は帯綴じ製本処理を用いて、前もって印刷されている本カバーのうちの１つと、本の本体とが綴じられる。つまり、製本装置では、本の本体の背表紙の一部及び／又は屈曲性の本カバーの対応する中央部に粘着性材料（例えば、のり又はテープ）が塗布され、本カバーが本の本体を包み、圧力及び／又は熱が加えて、本カバーと本の本体とを固定する。しかしながら、前もって印刷されている屈曲性の本カバーを用いることで、数え間違い及び／又は不一致の問題が発生する。例えば、間違った数の屈曲性の本カバーが、前もって印刷される可能性がある且つ／又は前もって印刷された間違った屈曲性の本カバーと、本の本体とが綴じられる恐れがある。
【発明の概要】
【課題を解決するための手段】
【０００３】
本明細書では、書籍製造システム及び関連する方法の実施形態を開示する。
【図面の簡単な説明】
【０００４】
【図１】図１は、書籍製造システムの実施形態の概略図である。
【図２】図２は、本に関するするプリントジョブに対する例示的なグラフィカルユーザインターフェースの提出書式の画面ショットを示す説明図である。
【図３Ａ】図３Ａは、屈曲性の印刷済み本カバーと、屈曲性の印刷済み本カバーにより包まれる本の本体との大きさの相対関係を示す説明図である。
【図３Ｂ】図３Ｂは、屈曲性の印刷済み本カバーと、屈曲性の印刷済み本カバーにより包まれる本の本体との大きさの相対関係を示す説明図である。
【図３Ｃ】図３Ｃは、屈曲性の印刷済み本カバーと、屈曲性の印刷済み本カバーにより包まれる本の本体との大きさの相対関係を示す説明図である。
【図４】図４は、書籍製造方法の実施形態を示す流れ図である。
【発明を実施するための形態】
【０００５】
数え間違い及び／又は不一致の問題を避けるために、方法より、本の本体及び屈曲性の本カバーを、製本の直前に同じプリントジョブで印刷することができる。この実施形態では、具体的には、ユーザ選択で、本の本体と、本の本体に関するカバーとの両方を含む本に関するプリントジョブを指示することができる。プリントジョブに含まれる全てのページ記述に基づいてラスタ画像処理を実行して、ラスタ画像を生成することができ、次いで、これらのラスタ画像をサイズにより分類して、本の本体のページに関する第１のラスタ画像と、少なくとも１枚のカバーに関する第２のラスタ画像（例えば、１つの片面印刷のカバーに関する第２のラスタ画像、及び２つの両面印刷カバーに関する第２のラスタ画像）と、を識別することができる。第２のラスタ画像は、全ての第１のラスタ画像のサイズの２倍より大きなサイズとなるであろうことに留意されたい。次に、印刷エンジンを用いて、本の本体に関するページを第１の印刷媒体シート上に印刷することができ、同じ印刷エンジン又は異なる印刷エンジンを用いて、第１の各印刷媒体シートのサイズの２倍より大きなサイズの第２の印刷媒体シート上にカバーを印刷することができる。次いで、本を製造するために、直列の製本装置でこのカバーと本の本体とを綴ることができる。プリントジョブに記載された特定の部数の本を作成するために、この印刷処理と、製本処理とを反復的に繰り返すことができる。
【０００６】
一般に、書籍製造システム１００の各実施形態は、少なくとも印刷媒体シート搬送経路１１６と、給紙装置（即ち、シート供給装置）１８０と、１つ以上の印刷エンジン１１０（即ち、マーキング装置）と、直列の製本装置１７０と、デジタル・フロント・エンド（ＤＦＥ）制御装置１０１と、を含む。印刷媒体シート搬送経路１１６は、印刷媒体シートを給紙装置１８０内の選択されたトレイ（例えば、印刷媒体シート供給装置のトレイ１８１〜１８４を参照）から、１つ以上の印刷エンジン１１０を、印刷するために、通り、製本装置１７０へ、製本のために、搬送することができる（即ち、搬送するよう適用可能、搬送するよう設定可能等）。以下に詳しく議論する通り、書籍製造システム１００の種々の機能部品の動作（例えば、シート搬送経路１１６、給紙装置１８０、ＤＦＥ制御装置１０１、印刷エンジン１１０、製本装置１７０の動作）を操作可能に制御するよう設定可能である（即ち、操作可能に制御するよう適用可能、操作可能に制御可能、制御するようプログラム可能等）。
【０００７】
書籍製造システム、詳細には、書籍製造システムの機能部品は、電源１２０から供給される電力で動作することができ、この電源１２０は、外部の交流電流の電源１２１に接続し、電源１２１からの外部の電力を種々の構成部品が必要とする種類の電力に変換することに留意されたい。さらに、通信ポート１４０（即ち、入力部／出力部）は動作可能に、ＤＦＥ制御装置１０１と、配線ネットワーク又は無線ネットワーク１９５（例えば、ローカルエリアネットワーク（ＬＡＮ）、ワイドエリアネットワーク（ＷＡＮ）、インターネット等）と接続して、書籍製造システム１００とその他の装置（例えば、外部のコンピュータ装置１９０及び／又は外部のデータソース１９３）との間の通信を可能にする。書籍製造システム１００は、随意的にスキャナ／ドキュメントハンドラ１６０、及び／又はローカルグラフィカルユーザインターフェース（ＧＵＩ）１５０等の１つ以上の付属の機能部品を含むことができ、これらの付属の機能部品も同様に外部電源１２１から（電源１２０を通じて）供給される電力で動作することができる。
【０００８】
ＤＦＥ制御装置１０１は、ラスタ画像プロセッサ１０２と、印刷媒体シート選択装置１０６と、を含むことができる。ＤＦＥ制御装置１０１は、本に関する、具体的には、本に関する本の本体に対するプリントジョブを受信することができる。具体的には、プリントジョブは、本の本体のページに関するページ記述を含むことができる。本開示のために用語「ページ記述」とは、各プリントジョブ内のページの様相を記載する、フォント、グラフィック等に関する情報のことを指すことに留意されたい。プリントジョブを受信すると、ラスタ画像プロセッサ１０２は、ラスタ画像処理を実行して各本の本体に関するページ記述に対応するラスタ画像を生成することができる（即ち、実行するよう適用可能、実行するよう設定可能等）。本開示のためのフレーズ「ラスタ画像処理」とは、プリントジョブに含まれる各ページ記述を画素毎の描写に（即ち、ビットマップ）変換する処理のことを指し、印刷エンジンがこの画素毎の描写を用いて、それに応じた各印刷を媒体シートにマーキングをする。ラスタ画像プロセッサは、当技術分野では周知であり、したがって、読み手が本実施形態内の代表的な態様に集中できるように本明細書から、そのようなプロセッサの詳細を省いている。
【０００９】
さらに、給紙装置１８０は、印刷媒体シートの積み重ねを含む複数の印刷媒体シート供給装置トレイ（例えば、トレイ１８１〜１８４を参照）を含むことができる。異なるトレイ１８１〜１８４内の印刷媒体シートは、異なる種類の印刷媒体シート（例えば、異なるサイズ、異なる重さ、又は異なる材料を含み得る等）でよい。マルチトレイ給紙装置１８０は当技術分野では周知であり、したがって、読み手が本実施形態の代表的な態様に集中できるように本明細書からそのような休止装置の詳細を省いている。シート選択装置１０６は、給紙装置１８０に、ユーザ選択の印刷媒体シートを含む特定のトレイから、印刷媒体シートを搬送経路１１６に供給させることができる（即ち、させるよう適用可能、させるよう設定可能等）。
【００１０】
印刷媒体シート搬送経路１１６は、ラスタ画像プロセッサ１０２により生成されるラスタ画像（即ち、ビットマップ）に基づいて印刷するために、印刷媒体シートを、１つ以上の印刷エンジン１１０に通して、搬送することができる（即ち、搬送するよう適用可能、搬送するよう設定可能等）。印刷エンジン１１０は、例えば、片面印刷の様式（即ち、印刷媒体シートの片面）及び／又は両面印刷の様式（即ち、印刷媒体シートの両面）で印刷可能な（即ち、印刷するよう適用可能、印刷するよう設定可能等）単色（即ち、モノクロ）の印刷エンジン及び／又は多色の印刷エンジンを含むことができる。印刷エンジン及びシート搬送経路は、当技術分野では周知であり、したがって、読み手が本実施形態の代表的な態様に集中することができるようそのような構成部品の詳細は本明細書から省いている。
【００１１】
印刷の後、印刷媒体シート搬送経路１１６により、製本するために製本装置１７０に印刷媒体シートをさらに搬送することができる（即ち、搬送するよう適用可能、搬送するよう設定可能等）。製本装置１７０（例えば、無線綴じ製本装置又は帯綴じ製本装置）は、印刷済みの印刷媒体シートを受け取り、本の本体を作成するために、それらの印刷済みの印刷媒体シートを積み重ね、押さえ付けることができる（即ち、積み重ね抑え付けるよう適用可能、積み重ね抑え付けるよう設定可能等）。製本装置１７０は、前もって印刷済みの屈曲性の本カバーを積み重ねたものを保持するトレイ１７１を含むことができ、これらの前もって印刷済みの屈曲性の本カバーのうちの１枚と、本の本体とを綴じることができる（即ち、綴じるよう適用可能、綴じるよう設定可能等）。
【００１２】
本明細書に開示される書籍製造システム１００は、製本する直前に（上記に示した前もって印刷済みの本カバーを使用するのとは対照的に）本の本体と同じプリントジョブでカバーを印刷するというオプションを、本の本体のページとカバーとの両方に関する印刷媒体シートを、シート選択装置１０６により（上記に示したユーザに指定されたのとは対照的に）自動的に選択することができるという追加的なオプションと共に、ユーザにさらに提供する。
【００１３】
本明細書に開示される書籍製造システム１００の各実施形態では、ＤＦＥ制御装置１０１は、本に関するプリントジョブを受け取ることができる（即ち、受け取るよう適用可能、受け取るよう設定可能等）。具体的には、グラフィカルユーザインターフェース１５０を通じて、あるいは、外部のコンピュータ装置１９０（例えば、デスクトップコンピュータ、ラップトップコンピュータ、スマートフォン等）のグラフィカルユーザインターフェース（ＧＵＩ）１９１を通じて、ユーザが、その本に関するプリントジョブをＤＦＥ制御装置１０１に提出することができる。図２は、本明細書に開示される実施形態に連動して用いることができる、本に関する例示的なグラフィカルユーザインターフェース（ＧＵＩ）のプリントジョブの提出書式２００の画面ショットである。図示する通り、プリントジョブ提出の書式２００は、そのデータファイルが格納された場所（例えば、外部のコンピュータ装置１９０のメモリ内、又は別の外部のデータソース１９３のメモリ内）を含む、書籍製造中に用いられる、印刷されるデータファイルの名前２０１を指定することができ、ＤＦＥ制御装置１０１は、ネットワーク１９５介してそのデータファイルにアクセスすることができる。
【００１４】
書籍製造システム１００において、ＤＦＥ制御装置１０１は、プリントジョブ提出の書式２００を通して、プリントジョブに関する種々のユーザ選択（即ち、ユーザ指定、ユーザ入力等）をさらに受け取ることができる（即ち、受け取るよう適用可能、受け取るよう設定可能等）。例えば、図２に示す通り、プリントジョブ提出の書式２００は、書籍製造システム１００により作成される本の部数をユーザが選択できるようにする（即ち、指定する、入力する等）ことができる（項目番号２４０参照）。さらに、プリントジョブ提出の書式２００は、カバー種類のドロップダウンメニュ２１０をさらに含むことができる。カバー種類のドロップダウンメニュ２１０により、ユーザが、例えば、本に関するカバーに対するいくつかの利用可能なオプションを選択することができる。
【００１５】
例えば、「前もって印刷済みのカバー」カバーの種類のドロップダウンメニュ２１０と表示された第１のオプション２１１には、具体的に、受け取れたプリントジョブには、本の本体のページに関するページ記述が含まれるが、その本の本体に関するカバーに関する記述は含まれていないことが示される。したがって、上記に示した通り、後で使用するために前もって印刷され、前もって印刷済みのカバーのトレイ１７１内に保持されている屈曲性の本カバーを用いて、製本装置１７０内で書籍製造を進めることができる。
【００１６】
例えば、「プリントジョブ内のカバー／ユーザ選択の印刷媒体シート」と表示されたカバーの種類のドロップダウンメニュ２１０に関する第２のオプション２１２は、具体的には、プリントジョブには、本の本体のページに関するページ記述、及びその本の本体に関するカバーに対する記述が含まれることを示す。上記の第１のオプション２１１では、ラスタ画像プロセッサ１０２が、ラスタ画像処理を実行して（即ち、ラスタ画像処理を実行するよう適用可能、ラスタ画像処理を実行するよう設定可能、ラスタ画像処理実行するようプログラム可能等）、プリントジョブ内の各ページ記述に対応するラスタ画像を生成することができる。つまり、ラスタ画像プロセッサ１０２は、プリントジョブに含まれる各ページ記述を、ページの画素毎の描写（即ち、ビットマップ）に変換することができる。
【００１７】
しかし、本の本体のページより大きなサイズの印刷媒体シート上にカバーが印刷されるため、書籍製造システム１００では、本の本体ページに関するラスタ画像と、カバーに関するラスタ画像と、の間を区分することができる。したがって、本明細書に開示される書籍製造システム１００の実施形態では、ＤＦＥ制御装置１０１はデータデコンポーザ１０３（即ち、データアナライザ）をさらに含むことができる。本の本体ページに対応するこれらのラスタ画像と、カバーに対応する全てのラスタ画像とを区別するため、デコンポーザ１０３は、ラスタ画像をサイズにより分類することできる（即ち、分類するよう適用可能、分類するよう設定可能、分類するようプログラム可能等）。具体的には、デコンポーザ１０３は、ラスタ画像をサイズにより分類して、本の本体ページに関する第１のラスタ画像と、少なくとも１枚のカバーに関する第２のラスタ画像とを識別することができる。
【００１８】
単一の第２のラスタ画像は、その他の全てのラスタ画像の２倍よりも大きく、片面印刷のカバー（即ち、一般に外側の面である、一面だけ印刷されたカバー）に関するラスタ画像としてデコンポーザ１０３により識別され得ることに留意されたい。あるいは、一対の第２のラスタ画像は、その他全てのラスタ画像の２倍よりも大きく、両面印刷のカバー（即ち、内側の面と外側の面との両面を印刷されたカバー）に関するラスタ画像としてデコンポーザ１０３により識別され得る。カバーに関するページ記述が、プリントジョブ内にあるとき、一般にプリントジョブ内の最初のページ記述、及び／又は最後のページ記述はカバーに対応する。しかし、いつでもそうとは限らないため、上記の分類処理が行われることに留意されたい。
【００１９】
さらに、この第２のオプション２１２が選択されると、プリントジョブの提出書式２００により、ユーザはさらに印刷媒体シートのシート種類、具体的には、カバー及び本の本体のページに関する（項目２２０及び項目２３０をそれぞれ参照されたい）シートのサイズを選択し且つ／又はカスタマイズすることができることに留意されたい。つまり、ユーザは、本の本体ページに関して使用する第１のサイズを有する第１の印刷媒体シートを選択することができ、カバー関して使用する第２のサイズを有する第２の印刷媒体シートもさらに選択することができる。一般に、図３Ａ〜図３Ｂに示す通り、カバー３３０に関して選択される第２の印刷媒体シートは、本カバーとして使用するために好ましい屈曲性材料を含む屈曲性の印刷媒体シートでなければならない。例えば、屈曲性材料は、紙を含むことができるが、代替的に、屈曲性材料には、布、プラスチック、金属箔等の全ての好適な屈曲性材料が含まれ得る。どんな場合でも、この第２の印刷媒体シートは、本の本体３１０のページ３２０に関して選択される各第１の印刷媒体シートの２倍よりも大きなサイズでなければならない。例えば、カバー３３０に関して選択される第２の印刷媒体シートは、少なくとも、本の本体３１０のページ３２０に関する第１の印刷媒体シートの各幅３２２の２倍に予想される本の本体３１０（即ち、本の本体３１０を形成するページ３２０を積み重ねたもの）の高さ３１１を加えた、全長３３１の長さでなくてはならない。この第２の印刷シートは、製本中に、カバー３２０が包む本の本体３１０の３面の周りを包めるよう、具体的には、本の本体３１０の最初のページ３１３、背表紙３１５、最後のページ３１４を包むことができるように、第１の印刷媒体シートの各長さ３２１とほぼ同じか、それより若干長い幅３３２の長さでなければならない（図３Ｃに示す通り）。
【００２０】
次いで、再度図１を参照すると、シート選択装置１０６は、給紙装置１８０に、第１の印刷媒体シートをユーザ選択の第１の印刷媒体シートを含む第１の印刷媒体シート供給装置トレイ（例えば、シートトレイ１８１）から、印刷媒体シート搬送経路１１６に供給させることができる（即ち、させるよう適用可能、させるよう設定可能、させるようプログラム可能等）。印刷媒体シート搬送経路１１６は、第１のラスタ画像に基づいて印刷するために（例えば、同じ印刷エンジンにより本の本体の全てのページ印刷することができる、モノクロ印刷エンジンにより黒の文字だけのページ印刷することができる、多色の印刷エンジンのよりカラーページ印刷することができる等）、１つ以上の印刷エンジン１１０に通して第１の印刷媒体シートを搬送することができる（即ち、搬送するよう適用可能、搬送するよう設定可能等）。次いで、印刷媒体シート搬送経路１１６は、必要に応じて、第１の印刷媒体シートを統合して、製本装置１７０に搬送することができる。製本装置１７０は、本の本体を作成するために、印刷された第１の印刷媒体シートを受け取り、積み重ね、抑え付けることができる（即ち、受け取り、積み重ね、抑え付けるよう適用可能）。
【００２１】
さらに、シート選択装置１０６は、給紙装置１８０に、第２の印刷媒体シートをユーザに選択の第２の印刷媒体シートを含む第２の印刷媒体シート供給装置トレイ（例えば、シートトレイ１８２）から、印刷媒体シート搬送経路１１６に供給させることができる（即ち、させるよう適用可能、させるよう設定可能、させるようプログラム可能等）。印刷媒体シート搬送経路１１６は、第２のラスタ画像に基づいて印刷するために、１つ以上の印刷エンジン１１０に通し、次いで、製本装置１７０に第２の印刷媒体シートを搬送することができる（即ち、搬送するよう適用可能、搬送するよう設定可能等）。第２の印刷媒体シートの片面印刷又は両面印刷は、検知された第２のラスタ画像の数に依存することに留意されたい。デコンポーザ１０３により識別される単一の第２のラスタ画像（即ち、その他の全てのラスタ画像の２倍よりも大きいサイズの１つのラスタ画像）で片面のカバーの印刷を行い、デコンポーザ１０３により識別される２つの第２のラスタ画像（即ち、それぞれがその他の全てのラスタ画像の２倍よりも大きいサイズの２つのラスタ画像）で両面のカバーの印刷を行う。製本装置１７０は、印刷済みの第２の印刷媒体シート（即ち、片面のカバー、両面のカバー）を受け取り、印刷済みの第２の印刷媒体シートと本の本体とを綴じることができる（即ち、綴じるよう適用可能、綴じるよう設定可能等）。
【００２２】
しかし、製本装置１７０は、本の本体及びカバーの受け入れに対して、要求順序を持つことができるため、書籍製造システム１００は、本の本体のページ及びカバーが要求順序通りで印刷済みであることを保証することができる。したがって、本明細書に開示される書籍製造システム１００の実施形態では、ＤＦＥ制御装置１０１が印刷スケジューラ１０５をさらに含むことができる。この印刷スケジューラ１０５は、製本装置１７０が、本の本体のページ及びカバーを最終的に要求順序通りに受け取るよう、印刷エンジン３１０による本の本体ページ及びカバーの印刷を、スケジュール管理することができる（即ち、スケジュール管理するよう適用可能、スケジュール管理するよう設定可能、スケジュール管理するようプログラム可能等）。具体的には、製本装置１７０が、本の本体を受け入れ前に、カバーが所定の位置に置かれるよう要求した場合、印刷スケジューラ１０５は、カバー用の第２の印刷媒体シートの印刷を最初にスケジュールに入れ、その後、本の本体ページ用の第１の印刷媒体シートの印刷をスケジュールに入れることができる。あるいは、製本装置１７０が、カバーを本の本体の周りの位置に移動させる前に、本の本体が所定の位置に置かれるよう要求した場合、印刷スケジューラ１０５は、本の本体ページ用の第１の印刷媒体シートの印刷を最初にスケジュールに入れ、その後に、カバー用の第２の印刷媒体シートの印刷をスケジュールに入れることができる。
【００２３】
また、上述した通り、ＤＦＥ制御装置１０１が受け取るプリントジョブにより、製造される本の特定な部数を指定することができ（図２の項目番号２４０を参照）、特定な部数を作成するために、ＤＦＥ制御装置１０１及び、具体的には、シート選択装置１０６及び印刷スケジューラ１０５は、給紙装置１８０、印刷エンジン３１０、製本装置１７０を操作可能に制御して上記の機能を反復的に繰り返すことができる。
【００２４】
さらに、カバーの選択のためのドロップダウンメニュ２１０に表示される第３のオプション２１３、例えば、「プリントジョブ内のカバー／自動選択の印刷媒体シート」は、上記の第２のオプション２１２と同様に、具体的に、プリントジョブには、本の本体のページ及びその本の本体に関するカバー対するページ記述が含まれていることを示す。しかし、この第３のオプション２１３には、本の本体ページとカバーとの両方に関する印刷媒体シートの自動的な選択に関する要求も含まれ得る。つまり、この第３のオプション２１３により、シート選択装置１０６による本の本体のページに用いられる第１のサイズを有する第１の印刷媒体シートと、カバーに用いられる第２のサイズを有する第２の印刷媒体シートとの自動選択をユーザが要求することができる。
【００２５】
したがって、この場合、書籍製造システム１００は、基本的には第２のオプション２１２に対して上記と同じ方法で動作するが、シート選択装置１０６は、第１の印刷媒体シート及び第２の印刷媒体シートを自動的に選択し（即ち、自動的に選択するよう適用可能、自動的に選択するよう設定可能、自動的に選択するようプログラム可能等）、この選択された印刷媒体シートを給紙装置１０６に印刷エンジン３１０へ自動的に供給させる。第１の印刷媒体シート、及び第２の印刷媒体シート、並びに、具体的には、印刷媒体シートのサイズは、例えば、ラスタ画像の各サイズに基づいて選択することができる。第１の印刷媒体シート、及び第２の印刷媒体シートを選択した後、シート選択装置１０６は、選択された印刷媒体シートが、給紙装置１８０の供給トレイ１８１〜１８４に現状で格納されているかどうかをさらに判定することができる。格納されていない場合、ＤＦＥ制御装置１０１は、グラフィカルユーザインターフェース１９１又は１５０を介して、ユーザに適切な印刷媒体シートを給紙装置１８０に補給／再補給するよう促すことができる。
【００２６】
書籍製造システム１００は、モジュール式書籍製造システムを含むことができ、給紙装置１８０、印刷エンジン１１０、製本装置１７０が別々のモジュール（即ち、別々のユニット）に含まれ、各ＤＦＥ制御装置１０１により制御される。さらに、図２のプリントジョブ提出の書式２００に関して、ユーザ選択の表示は、図示されたものと異なってもよい。さらに、図示する通り、単一の画面上でユーザに表示される代わりに、プリントジョブ提出の書式２００を、代替的に、一連の画面でユーザに表示することもできる。例えば、最初にカバー選択のドロップダウンメニュ２１０を示す第１の画面をユーザに表示し、第１のオプション２１１又は第２のオプション２１２がそれぞれ選択された場合、第２の画面をユーザに表示して、印刷媒体の選択２２０、２３０を行うことができる。
【００２７】
図１と組合せて図４を参照して、書籍製造方法の実施形態を本明細書に開示する。書籍製造方法の各実施形態は、（例えば、書籍製造システム１００のＤＦＥ制御装置１０１により）そのプリントジョブに関する種々のユーザ選択を含む、本に関するプリントジョブを受け取るステップ（４００）を含むことができる。
【００２８】
具体的には、この書籍製造方法は、（例えば、ＤＦＥ制御装置１０１により）ローカルグラフィカルユーザインターフェース１５０を介して、あるいは、外部のコンピュータ装置１９０（例えば、デスクトップコンピュータ、ラップトップコンピュータ、タブレットコンピュータ、スマートフォン等）のグラフィカルユーザインターフェース（ＧＵＩ）１９１を介してユーザからプリントジョブ提出の書式を受け取るステップを含むことができる。
【００２９】
図２は、本明細書に開示される実施形態に連動して用いることができる、本に関する例示的なグラフィカルユーザインターフェース（ＧＵＩ）のプリントジョブ提出の書式２００の画面ショットである。図示する通り、プリントジョブ提出の書式２００は、例えば、ＤＦＥ制御装置１０１によりネットワーク１９５を介して）その後のアクセス用に、データファイルが格納場所（例えば、外部のコンピュータ装置１９０のメモリ内、又は別の外部のデータソース１９３のメモリ内）を含む、書籍製造中に印刷されるデータファイルの名前２０１を指定することができる。プリントジョブ提出の書式２００により、さらにプリントジョブに関する種々のユーザの選択（即ち、ユーザ指定、ユーザ入力等）の提出が可能となる。例えば、図２に示す通り、プリントジョブ提出の書式２００により、ユーザは書籍製造システム１００で製造される本の部数を選択する（即ち、指定、入力等）ことができる（項目番号２４０を参照）。さらに、プリントジョブ提出の書式２００には、カバー種類のドロップダウンメニュ２０２を含むことができる。このカバー種類のドロップダウンメニュ２１０により、ユーザは、例えば、本に関するカバーに対していくつかの利用可能なオプション（例えば、第１のオプション２１１、第２のオプション２１２、第３のオプション２１３）のうちのどれでも選択することができる。
【００３０】
カバー種類のドロップダウンメニュ２１０、例えば、「前もって印刷済みのカバー」と表示される第１のオプション２１１では、具体的には、受け取られたプリントジョブには、本の本体のページに関するページ記述が含まれるが、その本の本体に関するカバーに関する記述は含まれていないことを示すことができる。第１のオプション２１１がユーザにより選択され（例えば、ＤＦＥ制御装置１０１により）受け取られるとき、書籍製造方法は以下のように展開することができる。
【００３１】
ラスタ画像処理を（例えば、ＤＦＥ制御装置１０１のラスタ画像プロセッサ１０２により）実行して、本の本体に関する各ページ記述に対応するラスタ画像を生成することができる（４０１）。次いで、（例えば、ＤＦＥ制御装置１０１のシート選択装置１０６により動作可能に制御される給紙装置１８０により）印刷媒体シートを印刷媒体シート搬送経路１１６に供給することができる（４１１）。次いで、印刷媒体シートを（例えば、ＤＦＥ制御装置１０１により動作可能に制御される印刷媒体シート搬送経路１１６により）１つ以上の印刷エンジン１１０に搬送することができる（４１２）。次に、処理ステップ４０１で生成されたラスタ画像に基づいて、（例えば、ＤＦＥ制御装置１０１により動作可能に制御される印刷エンジン１１０により）本の本体のページを印刷媒体シート上に印刷することができる（４１３）。印刷後、印刷媒体シートを（例えば、印刷媒体シート搬送経路１１６により）製本装置１７０（例えば、無線綴じ製本装置、又は帯綴じ製本装置）に搬送し（４１４）、本の本体を作成するため、本の本体のページを積み重ね押し付け（例えば、無線綴じ製本技術又は帯綴じ製本技術を用いて）、前もって印刷済みの屈曲性の本カバーと本の本体とを綴じることができる（４１５）。この場合、前もって印刷済みの屈曲性の本カバーを、後の使用のために製本装置１７０内のトレイ１７１内に格納することができる。次いで、処理ステップ４００で提出されたプリントジョブに記載された特定の数の部数の本を製造するために、上記の処理ステップ４１１〜４１５を反復的に繰り返すことができる（４１６）。
【００３２】
カバー種類のドロップダウンメニュ２１０で表示される第２のオプション２１２及び第３のオプション２１３、例えば、「プリントジョブ内のカバー／ユーザ選択の印刷媒体シート」及び「プリントジョブ内のカバー／自動選択の印刷媒体シート」は、それぞれ、具体的に、プリントジョブには、本の本体のページに関するページ記述と、その本の本体のカバーに関する記述が含まれていることを示す。第２のオプション２１２又は第３のオプション２１３がユーザに選択され、（例えば、ＤＦＥ制御装置１０１により）受け取られるとき書籍製造方法は以下のように展開することができる。
【００３３】
第１のオプション２１２では、（例えば、ＤＦＥ制御装置１０１のラスタ画像プロセッサ１０２により）ラスタ画像処理を実行して、プリントジョブ内の各ページ記述に対応するラスタ画像を生成することができる（４０１）。つまり、プリントジョブに含まれる各ページ記述を、ページの画素毎の描写（即ち、ビットマップ）に変換することができ、この場合、このプリントジョブには、本の本体のページ及びカバーの両方に関するページ記述が含まれる。
【００３４】
しかし、このカバーは、本の本体のページより大きなサイズの印刷媒体シート上に印刷されるため、この書籍製造方法では、本の本体のページに関するラスタ画像と、全てのカバーのラスタ画像とを区分することができる。したがって、第２のオプション２１２又は第３のオプション２１３が選択されるとき、本の本体のこれらのページに対応するラスタ画像と、カバーに対応するラスタ画像とを区別するために、（例えば、ＤＦＥ制御装置１０１のデータデコンポーザ１０３により）処理ステップ４０１で生成されるラスタ画像をサイズで分類することができる（４２１）。具体的には、処理ステップ４２１で、ラスタ画像をサイズで分類して、本の本体のページに関する第１のラスタ画像と、少なくとも１枚のカバーに関する第２のラスタ画像とを識別する。単一の第２のラスタ画像のサイズは、その他の全てのラスタ画像のサイズの２倍より大きく、デコンポーザ１０３により片面のカバー（即ち、一般に外側の片面のみ印刷されたカバー）に関するラスタ画像として識別することができることに留意されたい。あるいは、一対の第２のラスタ画像は、その他の全てのラスタ画像のサイズの２倍よりも大きく、デコンポーザ１０３により両面のカバー（即ち、内側及び外側の両面とも印刷されたカバー）に関するラスタ画像として識別することができる。カバーに関するページ記述がプリントジョブに存在するとき、一般にプリントジョブ内の最初のページ記述及び／又は最後のページ記述はカバーに対応することに留意されたい。しかし、いつでもそうとは限らないため、上記の分類処理が行われる。
【００３５】
さらに、第２のオプション２１２が選択されると、プリントジョブの提出書式２００により、ユーザはさらに、カバー及び本の本体のページに関する印刷媒体シートのサイズを選択し且つ／又はカスタマイズをすることができる（項目２２０及び項目２３０をそれぞれ参照されたい）。しかし、第３のオプション２１３選択されると、本の本体ページに対して用いられる第１のサイズの第１の印刷媒体シート、及びカバーに対して用いられる第２のサイズの第２の印刷媒体シートは、（例えば、ＤＦＥ制御装置１０１のシート選択装置１０６により）自動的に選択される（４２３）。印刷媒体シートが、ユーザ選択で処理ステップ４００にて提出されるプリントジョブ内で受け取られるか、又は処理ステップ４２３で自動的に選択されたかに関係なく、カバーに関して選択される第２の印刷媒体シートは、本カバーとして用いるために、好ましい屈曲性材料を含む屈曲性の印刷媒体シートでなければならないことに留意されたい。例えば、図３Ａ〜図３Ｂに示す通り、カバー３３０に関して選択される第２の印刷媒体シートは、少なくとも本の本体３１０のページ３２０に関する第１の印刷媒体シートの各幅３２２の２倍に、予想される本の本体３１０の（即ち、本の本体３１０を形成するページ３２０のスタックの）高さ３１１を加えた、全長３３１の長さでなくてはならない。この第２の印刷シートは、製本中に、カバー３２０が包む本の本体３１０の３面の周りを包めるよう、具体的には、本の本体３１０の最初のページ３１３、背表紙３１５、最後のページ３１４を包むことができるように、第１の印刷媒体シートの各長さ３２１とほぼ同じか、それより若干長い幅３３２の長さでければならない（図３Ｃに示す通り）。
【００３６】
処理ステップ４２３にて印刷媒体シートを自動選択した後、選択された第１の印刷媒体シート及び第２の印刷媒体シートが、現状の給紙装置１８０の供給トレイ１８１〜１８４内に格納されているか否かに関する判定が（例えば、シート選択装置１０６により）行われる。そのようなシートが格納されていない場合は、（例えば、ＤＦＥ制御装置１０１によりグラフィカルユーザインターフェース１９１又は１５０を介して）適切な印刷媒体シートを給紙装置１８０に補給／再補給するようユーザに促すことができる。
【００３７】
その後、第１の印刷媒体シートを（例えば、ＤＦＥ制御装置１０１のシート選択装置１０６により動作可能に制御される給紙装置１８０により、第１の印刷媒体シート供給装置のトレイ１８１から）、印刷媒体シート搬送経路１１６に供給することができる（４２４ａ）。次いで、第１の印刷媒体シートを（例えば、ＤＦＥ制御装置１０１により動作可能に制御される印刷媒体シート搬送経路１１６により）、１つ以上の印刷エンジン１１０に搬送することができる（４２５ａ）。次いで、処理ステップ４２１で識別された第１のラスタ画像に基づいて、（例えば、ＤＦＥ制御装置１０１により動作可能に制御される印刷エンジン１１０により、）本の本体のページを第１の印刷媒体シート上に印刷することができる（４２６ａ）。例えば、全ての本の本体のページを、同じ印刷エンジンにより印刷することができる、又は、あるいは、黒の文字だけのページをモノクロの印刷エンジンにより印刷することができる、及びカラーのページを多色の印刷エンジンにより印刷することができる。印刷後、第１の印刷媒体シートを、必要に応じてまとめて、製本装置１７０（例えば、無線綴じ製本装置又は帯綴じ製本装置）に、（例えば、印刷媒体シート搬送経路１１６により）搬送することができ（４２７ａ）、そこで、本の本体を作成するために第１の印刷媒体シート（即ち、本の本体のページ）は積み重ねられ押し付けられる。
【００３８】
さらに、（例えば、給紙装置１８０により第２の印刷媒体シート供給装置トレイ１８２から）第２の印刷媒体シートを印刷媒体シート搬送経路１１６に供給することができる（４２４ｂ）。次いで、（例えば、印刷媒体シート搬送経路１１６により）第２の印刷媒体シートを１つ以上の印刷エンジン１１０に搬送することができ（４２５ｂ）、処理ステップ４２１で識別された第２のラスタ画像に基づいて、（例えば、印刷エンジン１１０により）カバーを第２の印刷媒体シート上に印刷することができる（４２６ｂ）。処理ステップ４２１で識別された単一の第２のラスタ画像（即ち、その他の全てのラスタ画像のサイズの２倍よりも大きいサイズの１つのラスタ画像）で片面カバーの印刷を行い、処理ステップ４２１で識別された２つの第２のラスタ画像（即ち、その他の全てのラスタ画像のサイズの２倍よりも大きいサイズの２つのラスタ画像）で両面カバーの印刷を行うことに留意されたい。印刷後、第２の印刷媒体シート（即ち、片面印刷カバー又は両面印刷カバー）を（例えば、印刷媒体シート搬送経路１１６により）製本装置１７０に搬送することができる（４２７ｂ）。
【００３９】
次に、第２の印刷媒体シート（即ち、片面印刷又は両面印刷カバー）と本の本体とを（例えば、製本装置１７０により、無線綴じ製本技術又は帯綴じ製本技術を用いて）綴じることができる（４２８）。
【００４０】
製本装置１７０は、本の本体及びカバーの受け入れに関して要求順序を持つことができる。したがって、第２のオプション２１２又は第３のオプション２１３が選択されると、処理４２８にて、製本装置１７０が本の本体のページ及びカバーを最終的に要求順序で受け取るよう、本の本体のページ及びカバーの印刷が、（例えば、ＤＦＥ制御装置１０１の印刷スケジューラ１０５により）スケジュール管理される（４２２）。具体的には、製本装置１７０が、本の本体を受け取る前にカバーを所定の位置に配置するよう要求した場合、カバーに関する第２の印刷媒体シートの印刷、具体的には、処理ステップ４２４ｂ、４２５ｂ、４２６ｂ、４２７ｂのスケジュールを最初に入れ、本の本体のページに関する第１の印刷媒体シートの印刷を、その後にする（即ち、処理ステップ４２４ａ、４２５ａ、４２６ａ、４２７ａをその後にする）。あるいは、製本装置１７０が、カバーが本の本体の周りに移動する前に、本の本体が所定の位置に配置するよう要求した場合、本の本体のページに関する第１の印刷媒体シートの印刷、具体的には、処理ステップ４２４ａ、４２５ａ、４２６ａ、４２７ａのスケジュールを最初に入れ、カバーに関する第２の印刷媒体シートの印刷をその後にする（即ち、処理ステップ４２４ｂ、４２５ｂ、４２６ｂ、４２７ｂをその後にする）。
【００４１】
処理ステップ４００にて提出されたプリントジョブに記載された特定な部数の本を製造するために、上記の処理ステップ４２２〜４２８を反復的に繰り返すことができる（４２９）。
【００４２】
また、コンピュータ可読媒体の実施形態を本明細書で開示する。具体的には、当業者なら理解されようが、本開示の様態は、コンピュータ可読媒体（例えば、コンピュータプログラム製品）の形態をとることができる。１つ以上のコンピュータ可読媒体の全ての組合せを用いることができる。どんな場合でも、図１を参照すると、このコンピュータ可読媒体１３０は、書籍製造システム１００内に組み込むことができ、ＤＦＥ制御装置１０１により（即ち、コンピュータ又はコンピュータ装置により）読み取り可能で、一連の命令（即ち、プログラム）を具体的に体現する（又は、格納する）ことができる。上記に詳述し、図４で示す、具体的には、上記で詳細に議論した通り書籍製造システム１００に本を製造させる、書籍製造方法を実行するために、ＤＦＥ制御装置１０１により（即ちＤＦＥ制御装置１０１の種々の構成部品、例えば、ラスタ画像プロセッサ１０２、デコンポーザ１０３、印刷スケジューラ１０５、シート選択装置１０６等により）、これらの命令を実行することができる。
【図１】
0005941422.tif 000002
【図２】
0005941422.tif 000003
【図３Ａ】
0005941422.tif 000004
【図３Ｂ】
0005941422.tif 000005
【図３Ｃ】
0005941422.tif 000006
【図４】
0005941422.tif 000007